(57)【要約】  本発明は、病院内で医師、看護師、薬剤師などが患者を診療及び看護する中に発生する各種情報をオンライン上で直ちに入力して閲覧できるウェブ画面を端末機を通じて提供する一方、前記ウェブ画面を通じて提供される各種医務記録書式及びそれに挿入されるイメージを追加、修正、削除または管理できる、オンライン上における医務記録書式管理方法を提供することを目的とする。
2007531079.tif 000002
【特許請求の範囲】
【請求項１】
医療情報提供システムに適用されるオンライン上における医務記録書式管理方法であって、
サービス提供システムが、インターネットまたはイントラネットを通じて接続されている医師用端末機、看護師用端末機、検査室職員用端末機の各々に医療情報管理のための医師用ウェブ画面、看護師用ウェブ画面、検査室用ウェブ画面を伝送する一方、前記ウェブ画面を通じて前記端末機から入力された情報を前記各ウェブ画面を通じて共有できるように格納することによって、患者の診療に必要とする医療情報を管理する第１ステップと、
患者の医療情報を入力できるように前記ウェブ画面を通じて提供される医務記録書式がユーザにより追加、削除、修正できるようにするメニューを、前記サービス提供システムが前記ウェブ画面を通じて提供する一方、追加、削除、修正された前記医務記録書式を前記サービス提供システムが格納する第２ステップと、
格納された前記医務記録書式の目録の閲覧要請がある場合、前記サービス提供システムが前記目録を提供する一方、前記目録から選択された医務記録書式を前記サービス提供システムが前記ウェブ画面を通じて提供する第３ステップと、
前記ウェブ画面を通じて基本記録書式として提供される医務記録書式をユーザが直接選択できるようにするメニューを、前記サービス提供システムが前記ウェブ画面を通じて提供する一方、選択された前記医務記録書式を前記サービス提供システムが前記ウェブ画面を通じて基本書式として提供する第４ステップと、
を含むことを特徴とするオンライン上における医務記録書式管理方法。
【請求項２】
前記医務記録書式にイメージを挿入できるようにするメニューを前記サービス提供システムが前記ウェブ画面を通じて提供する第５ステップを更に含み、かつ、
前記イメージは、患者の患部を撮影した撮影イメージ、または、説明用として使われるイメージテンプレートであって、前記医務記録書式に入力された患者の医療情報と共に格納されることを特徴とする請求項１に記載のオンライン上における医務記録書式管理方法。
【請求項３】
前記撮影イメージは、
医師用端末機、看護師用端末機、検査室用端末機のうち、少なくともいずれか一つに格納されていてから、イメージが挿入できるようにする前記メニューを通じてサービス提供システムにアップロードされて患者の医療情報と共に格納されることを特徴とする請求項２に記載のオンライン上における医務記録書式管理方法。
【請求項４】
説明用として使われる前記イメージテンプレートは、前記ウェブ画面から提供されるイメージテンプレート管理メニューによりサービス提供システムにアップロードされたり修正及び削除が可能であり、アップロードまたは修正された前記イメージテンプレートはユーザが指定したフォルダーに格納されたりまたは前記ユーザ情報により指定されるフォルダーに自動で格納され、イメージが挿入できるようにする前記メニューを通じて患者の医療情報と共に格納されることを特徴とする請求項２に記載のオンライン上における医務記録書式管理方法。
【請求項５】
前記医務記録書式は各医師別または各診療科別に区分されて管理されることができ、前記医務記録書式に対する追加、削除、修正の権限は制限できることを特徴とする請求項１乃至４のうち、いずれか１つに記載のオンライン上における医務記録書式管理方法。
【発明の詳細な説明】
【技術分野】
【０００１】
本発明は、医療機関から要求される診療情報、看護情報、薬物情報などの各種医療情報を電算化できるようにする一方、前記各種医療情報を表現する医務記録書式をオンライン上で管理する方法に関するものである。
【背景技術】
【０００２】
全世界的なネットワークであるインターネットとＬＡＮ及びイントラネットのような多様な種類のネットワークが発達することにつれて、各種情報を前記ネットワークを介して共有するようにする技術及びコンテンツが開発されている。
【０００３】
このような技術的進歩は医療業界にも起こっており、内部ネットワークを介して各種情報を共有する技術が開発されている。
しかしながら、病院内で現在なされている情報共有は単純にユーザの人的事項や治療を受けようとする診療項目、診療予約情報、治療内訳情報、入院情報などの簡単な内容を共有することに過ぎない。この他にも医師が患者を診療した後に患者に対して発行するオーダー（Order）、例えば、いかなる薬をどのくらい調剤するか、いかなる注射をするか、いかなる検査を行うかに対する情報程度しかネットワークを介して共有されていない状況である。
【０００４】
しかしながら、病院で患者を治療したり看護したりすることにおいて、最も重要な情報は前記のような情報でなく、患者の病症状を観察する看護師が記録した看護日誌、医師の治療所見及び治療方法、検査結果、治療結果のような各患者の病症状による個別的な状態情報である。 
【０００５】
一方、前記のような情報は医師が患者を治療する中に作成したチャートや、看護師が患者を看護する中に作成した看護日誌または検査室職員が患者を検査したり治療したりした場合に作成する各種報告書を通じて提供されることができる。
【０００６】
しかしながら、前記のような各患者の病症状による個別的な状態情報はその入手経路が多様であるだけでなく、入力するべき内容が各診療科別に多様であるので、一律的に統一化して電算化できないという問題があり、したがって、前記のような情報を病院内でネットワークを介して共有できる方法は提供されていないのが実状である。
【０００７】
言い換えると、前記のような患者の病症状による個別的な状態情報はネットワークとコンピュータ技術が発展するにも関わらず、今までも紙チャートに記録して管理する状況から外れていないし、前記紙チャートに記録された内容は別途の職員またはシステムを通じて電算化する程度に止めているので、より効率のよく患者の情報を管理できないという問題がある。
【０００８】
また、前記のような情報が電算化されていないので、患者は診療または治療を受ける過程において、より迅速で、かつ、正確な医療サービスを受けられなくなるという問題がある。
【０００９】
また、現在利用されている医療情報を記録できる紙チャートは同一病院内でも各診療科毎にその数を数えることができないほど多様であるだけでなく、引続き新しい様式のチャートが要求されるので、電算化を通じた体系的な管理が困難であるという問題がある。
【発明の開示】
【発明が解決しようとする課題】
【００１０】
本発明は、前記のような問題を解決するためのものであって、病院内で医師、看護師、薬剤師などが患者を診療及び看護する中に発生する各種情報をオンライン上で直ちに入力して閲覧できるウェブ画面を端末機を通じて提供する一方、前記ウェブ画面を通じて提供される各種医務記録書式及びそれに挿入されるイメージを追加、修正、削除または管理することができる、オンライン上における医務記録書式管理方法を提供することをその目的とする。
【課題を解決するための手段】
【００１１】
前記のような目的を解決するための本発明は、医療情報提供システムに適用されるオンライン上における医務記録書式管理方法において、選択された前記医務記録書式を前記ウェブ画面を通じて基本書式として提供する第４ステップを含む。
【発明を実施するための最良の形態】
【００１２】
以下、添付の図面を参照しつつ本発明に係る好ましい実施形態を詳細に説明する。
図１は、本発明が適用される医療情報提供システムの一実施形態の構成図である。
図１に示すように、本発明が適用される医療情報提供システムは、患者に対する情報を管理及び提供する一方、病院の一般業務情報をネットワークを介して管理できるようにするためのサービス提供システム１０、医師が前記サービス提供システムに接続して患者に対する各種情報を閲覧し、診療結果を入力できるようにするための医師用端末機２０、 看護師が前記サービス提供システムに接続して患者に対する各種情報を閲覧したり診療結果を入力できるようにするための看護師用端末機３０、病院内の各種検査室職員が前記サービス提供システムに接続して患者の検査要請情報を閲覧できるようにしたり、検査結果を前記サービス提供システムに入力できるようにするための検査室職員用端末機４０、病院の一般業務を担当する一般職員が前記サービス提供システムに接続して病院業務と関連した各種情報を閲覧したり入力できるようにするための一般院務用端末機５０、及び前記端末機が前記サービス提供システムに接続しようとする場合にユーザの認証を遂行するための外部公認認証システム６０を含んで構成されている。
【００１３】
この際、医師による診療業務、看護師による看護業務及び検査室職員による検査業務は、各々前記医師用端末機２０、看護師用端末機３０及び検査室職員用端末機４０のウェブ画面で遂行されると言える。この際、説明の便宜上、前記各端末機で実行されるウェブ画面を各々医師用ウェブ画面、看護師用ウェブ画面及び検査室用ウェブ画面と称する。
【００１４】
即ち、以下では、前記サービス提供システム１０、医師用端末機２０、看護師用端末機３０及び検査室職員用端末機４０が病院内に構築されている内部ネットワーク（以下、単に「イントラネット」という）を介して連結されているものとして本発明が説明されているが、本発明はこれに限るものではなく、インターネットのようなネットワークを介して相互連結されて運営することもできる。
【００１５】
前記イントラネットについて簡単に説明すれば次の通りである。
即ち、イントラネットとは、電算環境において、より拡張されたネットワークを構成するために永久的に互いに連結されたネットワーク等のグループや単一ネットワークをいうものであって、前記イントラネットは、１つのグループに所有されるＬＡＮ（または、ＷＡＮ）や公共ネットワークであるインターネットとは若干異なる概念である。即ち、ＬＡＮとは異なり、インターネット技術を使用しているだけでなく、通信用にＴＣＰ／ＩＰを使用しており、インターネットが公共ネットワークである一方、イントラネットはファイアウォールにより侵入者を遮断できる私設ネットワークという差がある。 
【００１６】
また、イントラネットはそれぞれ異なるプロトコルを使用して知能的なビジネスアプリケーションが実行される多数の地域ネットワークを断絶なしに連結する必要があるという点でインターネットより遥かに複雑でありえる。一方、イントラネットに接続したユーザはインターネットに接続できるが、インターネットからイントラネットには制限され統制されたアクセスのみ許される。
【００１７】
また、前記したように、イントラネットはインターネットの標準を使用するという点で一般的なＬＡＮとは異なる。したがって、医師、看護師または検査室職員などがそれぞれの端末機を用いてサービス提供システム１０に接続しようとする場合にはインターネット接続方法と同様にウェブブラウザを駆動させて接続することになる。
【００１８】
また、本発明は前記したように、インターネット基盤のウェブブラウザを使用してサービス提供システムから各種データを受信する方法を用いているため、医師用端末機２０、看護師用端末機３０及び検査室職員用端末機４０の内部の格納媒体には本発明に係るアプリケーションを駆動するためのプログラム及びデータを持っている必要がなくなる。
【００１９】
また、前記の一般院務用端末機５０とサービス提供システムとは上記のようにインターネットまたはイントラネットを通じて相互に接続できるが、本発明では前記一般院務用端末機５０とサービス提供システムとはＬＡＮのような一般内部ネットワークで相互に接続されるものとして説明する。この場合、上記のように、一般内部ネットワークで接続された場合には本発明に係る各種情報を受信するためのソフトウェアが前記一般院務用端末機５０内に搭載されていなければならない。
【００２０】
一方、前記サービス提供システム１０は、本発明に係るサービスを提供するために、インターフェース１１、制御部１２、患者情報管理部１３、イメージ情報管理部１４、一般院務管理部１５及び認証管理部１６を含んでいる。
【００２１】
まず、インターフェース１１はネットワークを介して各端末機２０、３０、４０、５０及び外部公認認証システム６０と接続する機能を遂行する。即ち、前記インターフェース１１は、前記医師用端末機２０、看護師用端末機３０及び検査室職員用端末機４０とはイントラネットを通じた接続を遂行し、前記端末機からインターネット接続要請がある場合にはインターネット接続を可能にする機能を遂行する。また、前記一般院務用端末機５０とはＬＡＮのような内部ネットワークを介して接続されていることができる。また、前記したように、外部公認認証システム６０とはインターネットを通じて接続されることができる。
【００２２】
次に、患者情報管理部１３は、医師用端末機２０、看護師用端末機３０、検査室職員用端末機４０、一般院務用端末機５０のうち、少なくともいずれか一つから入力された患者情報（医療情報）を管理する一方、前記医師用端末機２０から担当患者に対する情報要請がある場合、該当患者の医療情報を抽出して送信する機能を遂行する。
【００２３】
次に、イメージ情報管理部１４は前記した各端末機のうち、少なくともいずれか一つから入力されたイメージ情報を管理する一方、医師用端末機２０から担当患者に対するイメージ情報要請がある場合、該当患者のイメージ情報を抽出して送信する機能を遂行する。この際、前記イメージ情報とは、一般的に、Ｘ線撮影写真、内視鏡写真、ＣＴ撮影写真などのように、患者の状態を検査するために撮影された各種写真などを電子的にイメージ化したものをいい、前記のような写真だけでなく、各種書類または写真などをスキャンしてイメージ化したものも含んでいる。
【００２４】
次に、一般院務管理部１５は病院の一般管理業務を担当している職員が一般院務用端末機５０を通じて入力した院務関連情報を管理する一方、前記一般院務用端末機５０及び又他の端末機２０、３０、４０のうち、少なくともいずれか一つから情報の出力要請がある場合に該当端末機に院務関連情報を伝送する機能を遂行する。
【００２５】
次に、認証管理部１６はネットワーク（インターネット、または、イントラネット）を介してサービス提供システム１０に入ってくる各ユーザに対して認証を遂行する機能を遂行する。即ち、医師、看護師、検査室職員、一般病院業務担当職員が端末機を通じてサービス提供システム１０に接続しようとする場合に、接続が許可されたユーザであるか否かに対する認証手順を遂行して認証されたユーザのみに接続を許可する機能を遂行する。一方、前記サービス提供システムのように、病院内の患者情報を管理するシステムの場合には、その保安が徹底に要求され、したがって、自体的な認証だけでは足りない点がありえるので、この場合には前記イントラネットに接続された内部認証システムではない外部の公認認証システム６０を通じて認証手順を遂行することができる。即ち、このような場合には前記認証管理部１６はユーザから認証要請がある場合、前記ユーザの情報をインターネットのようなネットワークを介して外部公認認証システム６０に伝送して認証手順を遂行した後、その結果によって接続の可否を決定するようにすることができる。
【００２６】
次に、医務記録書式管理部１７は前記医師用ウェブ画面、看護師用ウェブ画面、検査室用ウェブ画面を通じて提供される各種書式に対する情報を管理する機能を遂行する。即ち、前記医務記録書式管理部１７は、従来では紙チャート形式で利用されていた各種書式を電算化して管理する機能を遂行することで、前記ウェブ画面から前記書式に対する要請がある場合、オンラインを通じて前記ウェブ画面に提供することになる。この際、前記書式とは、患者の各種診療情報や看護情報、検査記録情報など、患者の医療情報を入力または閲覧できる書式として従来利用されていた紙チャートに代えてウェブ画面を通じて具現できる書式（以下、単に「医務記録書式」という）をいうものである。
【００２７】
一方、本発明では、上記の書式のうち、特に医師用ウェブ画面を通じて提供される医務記録書式を管理する方法を例として説明するようにするが、これに限るのではなく、看護師用ウェブ画面または検査室用ウェブ画面を通じて提供される多様な医務記録書式にも同様に適用されることができる。
【００２８】
最後に、制御部１２は、前記インターフェース及び各部（１３乃至１７）を制御する一方、ネットワークを介して各種情報を前記端末機に伝送したり前記端末機から受信したりする機能を遂行する。
【００２９】
この際、前記インターフェース及び各部（１２乃至１６）は一つのコンピュータまたはサーバーで具現されることができ、各種障害に対備するために補助システムを置くことができる。
【００３０】
図２ａは、本発明に係るオンライン上における医務記録書式管理方法が適用される医師用ウェブ画面の一例示図であって、医師が医師用端末機２０を通じて前記サービス提供システムに接続して正常のログイン過程を経た場合に各種医療情報を提供するための初期画面の一例示図である。
【００３１】
即ち、医師はウェブブラウザを通じて前記サービス提供システム１０に接続することができ、サービス提供システムの内部の認証管理部１６または外部公認認証システム６０を通じて認証過程を経なければ正常的に各種情報を提供受けることができない。
【００３２】
一方、医師が正常的なログインを経てサービス提供システム１０に接続した後、［医師用管理画面］メニューを選択した場合に活性化されるウェブブラウザ画面の一例を図２ａに図示しており、図面に図示されたように、医師用ウェブ画面はユーザ情報表示部１１０、マイメニュー部１２０、メインメニュー部１３０、患者情報閲覧部１４０及び患者情報入力部１５０の５つのブロックに大別される。
【００３３】
まず、ユーザ情報表示部１１０はログインした医師の情報（ユーザ）及び選択された患者の情報を出力することになる。
次に、マイメニュー部１２０には各ユーザ（医師）がメインメニュー部１３０にある多数のメニューのうち、自身がよく使うメニューに対して設定した短縮アイコンが表示されている。
【００３４】
次に、メインメニュー部１３０は、医師または医師用ウェブ画面に対する管理者が利用することができる全てのメニューを整理しておいたものである。即ち、前記メインメニュー部１３０には前記医師用ウェブ画面に表示されることができる各種画面に対するメニューが含まれており、特に、本発明に適用される医務記録書式を管理できるメニューも含まれている。
【００３５】
次に、患者情報閲覧部１４０は、ユーザ（医師）が患者情報管理部１３に格納されている患者の細部情報を閲覧できるブロックであって、図面に図示されたように、外来初診、外来経過、オーダー、検査照会、他科依頼、科別書式、バイタルシート（Vital Sheet）、看護日誌、入院初診、入院結果、手術記録、退院記録などに対する情報が閲覧できるように構成されている。一方、図２ａでは、まだいかなる情報閲覧も選択されていない状態であって、白紙状態に表示されている。
【００３６】
最後に、患者情報入力部１５０は医師が患者を診療する途中に必要な各種情報を入力できるブロックであって、前記患者情報入力部１５０を通じて入力された情報は前記患者情報閲覧部１４０を通じて閲覧されることができる。
【００３７】
図２ｂは、本発明に係るオンライン上における医務記録書式管理方法が適用される医師用ウェブ画面の又他の一例示図であって、図２ａに図示された医師用ウェブ画面のうち、患者情報入力部１５０を説明するための例示画面である。
【００３８】
即ち、図２ｂに図示された患者情報入力部１５０は医師が患者を治療する間に記録すべき患者の診療情報を入力できるブロックであって、従来には医師が紙チャートに入力していたものをコンピュータに入力できるように体系的に構成されたものである。このために、前記患者情報入力部１５０には、外来初診時の診療結果入力、外来経過による診療結果入力、入院初診の場合に必要な情報入力、入院経過によって発生する診療情報入力、他科に患者を依頼するために必要な情報入力、手術による患者情報入力、退院時に必要な情報入力のために、記録選択欄１５１内に外来初診、外来経過、入院初診、入院経過、他科依頼、手術記録、退院記録メニューが含まれることができる。
【００３９】
この際、前記メニューは全ての医師が共通的に使用することができるメニュー（以下、単に「共通メニュー」という）であり、この他にも医師によっては各種診断書／依頼書を作成するべき必要があるので、診断書／依頼書メニューが前記記録選択欄１５１に含まれている。また、前記したメニューの他にも各診療科別に要求される書式がありえて、このような書式に対しては一括的に定形化した様式を作ることはできないので、本発明は科別書式メニューを前記記録選択欄１５１に含むことにより各診療科別に必要な様式を生成して利用できるようにした。即ち、ユーザが前記科別書式メニューを選択した場合には別途の定形化した様式が出力されるのではなく、各診療科別に特徴的な書式を直接生成できるようにする様式が出力されるようにすることができる。また、精神科の場合も他の診療科とは異なり、多様な形式の書式が要求されるので、それに係る書式を別途に管理するために、本発明は精神科診断評価メニューを前記記録選択欄１５１に含んでいる。一方、前記記録選択欄１５１の各メニューを通じて入力した患者情報は患者情報閲覧部１４０の各メニューを通じて閲覧できるように構成されている。
【００４０】
図３は、本発明に係るオンライン上における医務記録書式管理方法に適用される医務記録書式の登録のためのウェブページダイアログボックスの一例示図である。
前記したように、医師用ウェブ画面の患者情報入力部１５０には、外来初診、外来経過、入院初診、入院経過、他科依頼、手術記録、退院記録のように、医師が共通的に使用することになる共通のメニューが含まれており、ユーザが該当メニューを選択することになれば前記医務記録書式管理部１７で該当メニューに対する医務記録書式を呼び寄せて前記患者情報入力部１５０に出力することになる。この際、前記メニューの中には外来初診または入院初診メニューのように、その内部に細部メニュー（例えば、主症状、社会歴、過去病歴、家族歴などを入力できる項目等）があって、各細部メニュー別に別途の医務記録書式を提供しなければならない場合もあり得る。
【００４１】
一方、前記共通メニューに提供されるそれぞれの医務記録書式はある程度定形化した形態を取っているが、前記したように、新たな疾病及び患者の状態によって新しく要求される医務記録書式が存在することもできる。
【００４２】
また、前記科別書式や診断書／依頼書メニューから提供される医務記録書式は、それ自体としては定形化した様式がなく、各診療科別に、または、診断書及び依頼書の種類によって、ユーザが各々新しい医務記録書式の製作を必要とする。
【００４３】
即ち、図３は各医師または医師用ウェブ画面の管理者をして自身に必要な医務記録書式を前記サービス提供システムの医務記録書式管理部１７に登録させることができるようにするためのウェブページダイアログボックスの一例を示す図である。
【００４４】
この際、図３に図示されたようなダイアログボックスはメインメニュー部１３０のメニューを通じて提供されることができ、その使用権限が制限されるようにすることができる。即ち、各医師が前記のようなダイアログボックスを通じて自身が必要な医務記録書式を登録させることができるが、各科別に医務記録書式の登録権限を有する管理者を置いて前記管理者のみ医務記録書式に対する登録手順を遂行するようにすることができる。
【００４５】
即ち、前記医師用ウェブ画面にログインするためには、各医師別にＩＤ及びパスワードを入力しなければならないので、サービス提供システムの制御部１２が前記ＩＤを用いて前記ダイアログボックスに対する使用権限があるユーザであるか否かを判断するようにすることができる。
【００４６】
また、医務記録書式に対する登録権限を有するユーザが前記ダイアログボックスを通じて医務記録書式を登録する場合において、新しく登録される医務記録書式は関連した診療科及び医務記録書式と共に登録されなければならないので、前記制御部１２は前記ユーザがダイアログボックスを活性化させる場合に前記ユーザが登録した医務記録書式が格納されるべきフォルダーを自動的に指定することができる。しかしながら、これに限るのではなく、ユーザが直接格納するフォルダーを選択することができる。
【００４７】
また、本発明は図３に示すように、ユーザが医務記録書式を登録したり削除したりできる権限を有するフォルダーの全ての医務記録書式を閲覧できるようにすることによって、削除または登録を容易に行うようにすることができる。即ち、図３に図示されたダイアログボックスは精神科に属した医師が医務記録書式を新しく登録したり削除したりすることができる画面を表した例示図であって、本発明はユーザが精神科に含まれた各種医務記録書式を閲覧できるようにすることによって、前記のようなダイアログボックスを通じて必要のない医務記録書式は削除し、必要な医務記録書式は新しくアップロードさせることができるようにした。
【００４８】
一方、図面から分かるように、前記ダイアログボックスには患者情報入力部１５０から提供される各メニュー別にそれに係る医務記録書式（初診評価、退院要約入院結果、初診過去病歴、退院要約入院経過、退院要約今後計画、初診家族歴等）の目録が羅列されており、ユーザが該当項目を選択することになれば、それに係る医務記録書式を見ることができるように構成されている。この際、羅列された医務記録書式は前記したように医務記録書式を登録または閲覧しようとするユーザが使用権限のある診療科の医務記録書式である。この際、前記ユーザは前記したように、必要のない医務記録を削除することができ、また、新たな医務記録書式を登録しようとする場合には自身の端末機２０、または、オンライン上の又他のコンピュータに格納されている医務記録書式を検索して前記医務記録書式管理部１７にアップロードさせることができる。
【００４９】
即ち、ユーザは基本的に提供される医務記録書式だけでなく、自身または各診療科から要求される医務記録書式を直接製作して医務記録書式管理部１７に貯蔵しておいた後、前記患者情報入力部１５０を通じて前記医務記録書式を呼び寄せて各種医療情報が入力できることになる。
【００５０】
また、前記医務記録書式に入力された情報は患者情報管理部１３に格納される一方、患者情報閲覧部１４０を通じて閲覧されることができる。
図４は、本発明に係るオンライン上における医務記録書式管理方法に適用される医務記録書式の基本値の設定のためのウェブページダイアログボックスの一例示図である。
【００５１】
前記したように、医師用ウェブ画面の患者情報入力部１５０には外来初診、外来経過、入院初診、入院経過、他科依頼、手術記録、退院記録のように、医師が共通的に使用することになる共通メニューが含まれている。
【００５２】
しかしながら、前記メニューが全ての医師が共通的に使用することができる書式に対するメニューとしても、実質的に患者の医療情報を入力することになる医務記録書式は各診療科別、または、医師によって変わることができる。例えば、外来初診の場合においても、外科、内科、眼科、耳鼻咽喉科、産婦人科によって患者の医療情報を実質的に入力することになる外来初診用医務記録書式の種類が違うことができる。
【００５３】
したがって、ユーザが外来初診メニューを選択した場合としても、前記メニュー内にはそれぞれ異なる形態の医務記録書式が選択できるようにする細部メニューが備えられることができる。
【００５４】
また、前記のような共通書式だけでなく、前記科別書式や診断書／依頼書メニューから提供される医務記録書式は、前記したように、各科別にまたは診断書及び依頼書の種類によって数多くの医務記録書式を含んでおり、ユーザをして希望する医務記録書式を選択できるようにするための選択メニューを備えることができる。
【００５５】
一方、本発明はユーザが前記共通メニューのうち、いずれか一つを選択した場合において、ユーザ（医師）が一々医務記録書式を検索して選択するようにすることは、ユーザが不便を感じることになるので、各診療科別に基本となる医務記録書式をあらかじめ設定しておいてから、ユーザのログインＩＤを用いて既に設定されている医務記録書式を出力するようにすることができる。
【００５６】
例えば、サービス提供システム１０の制御部１２は前記ユーザのログイン情報を貯蔵しておいてから、前記ユーザが外来初診メニューを選択した場合に前記ユーザの診療科であらかじめ設定しておいた外来初診メニューの医務記録書式を、前記患者情報入力部１５０を通じて出力させることができることになる。
【００５７】
しかしながら、前記のような医務記録書式の基本値の設定は各診療科別管理者のみすることができるのでなく、各医師が個別的に自身が希望する医務記録書式を基本値に設定しておいて使用するようにすることができる。即ち、前記したように、医務記録書式はその種類が多様であるだけでなく、患者及び診療方法の特性によってもその細部様式に差があり得るので、診療科別に基本医務記録書式を設定しておくということが容易でない場合もあり得る。
【００５８】
したがって、各医師または各診療科別管理者は前記メインメニュー部１３０から医務記録書式の基本値の設定のためのメニューを選択することができ、図４は前記メニューを選択した場合に出力されるダイアログボックスの一例を示す図である。
【００５９】
即ち、医師または各診療科別管理者は前記患者情報入力部１５０で使われる数多くの医務記録書式のうち、前記記録選択欄１５１の各メニュー別に基本的に使われる医務記録書式を登録させることができることになり、削除及び修正も可能である。
【００６０】
即ち、ユーザは前記共通メニューで使われる医務記録書式だけでなく、科別書式や診断書／依頼書メニューで使われる医務記録書式に対しても、該当メニューを選択した場合に基本的に出力される医務記録書式を前記のような方法により設定しておくこともできる。
【００６１】
また、ユーザが前記メニューを選択した場合に表れる細部メニューにおいても、前記のような方法及びダイアログボックスを通じて該当細部メニューで使われる医務記録書式に対する基本値が設定されることができる。
【００６２】
即ち、本発明は前記したように、新たな医務記録書式を医師または管理者の選択によって登録できるようにする一方、各画面またはメニューに表れる医務記録書式に対する基本値を各医師または管理者が直接選択できるようにすることによって、医師が患者を診療する場合において、より速かに患者の医療情報を入力及び閲覧できるようにした。
【００６３】
図５ａは本発明に係るオンライン上における医務記録書式管理方法に適用される医師用ウェブ画面の他の一例示図であり、図５ｂは本発明に係るオンライン上における医務記録書式管理方法に適用されるイメージ管理のためのウェブページダイアログボックスの一例示図である。
【００６４】
前記したように、医師用ウェブ画面の患者情報入力部１５０には、外来初診、外来経過、入院初診、入院経過、他科依頼、手術記録、退院記録、科別書式、診断書／依頼書及び精神科診断評価書のようなメニューを選択できる記録選択欄１５１があり、前記メニューを通じて提供される各種医務記録書式中には各種イメージを追加すべき必要がある医務記録書式がありえる。
【００６５】
即ち、Ｘ線撮影室で撮ったＸ線写真や、胃内視鏡撮影写真などのようなイメージ（以下、単に「撮影イメージ」という）は、外来経過または手術記録メニューの医務記録書式に添付する必要があることになる。
【００６６】
例えば、図５ａに示すように、前記メニューのうち、手術記録メニューの医務記録書式には各種イメージを登録させることができる絵追加メニュー１５４ｆ−３があり、医師は患者に対する手術記録の整理中に、手術時に撮影された撮影イメージを格納させておく必要がある場合には前記絵追加メニュー１５４ｆ−３を選択した後、自身の医師用端末機２０または前記医師用端末機２０とネットワークを介して接続されている端末機に格納されている撮影イメージを選択して登録させることができる。この際、選択された撮影イメージは患者情報管理部１３またはイメージ情報管理部１４に前記患者の又他の医療情報と共に格納されることになる。
【００６７】
一方、前記では各種検査室で撮影された撮影イメージを、医務記録書式内で提供される絵追加メニュー１５４ｆ−３を通じて医師が直接選択して登録する方法について説明した。しかしながら、医師が患者を診療する場合においては、上記のように、患者に対して直接撮影した撮影イメージだけでなく、既に撮影されている一般的な資料イメージが利用されるべき場合もあり得る。
【００６８】
即ち、患者の傷部位に対する一般的な組織構成や、一般的な骨構造、歯牙構造などのように、患者本人を撮影した撮影イメージでない説明用または比較用として使われるイメージ（以下、単に「イメージテンプレート」という）は、サービス提供システムのイメージ管理部１４または別途の管理部を通じて管理しておいてから、医師が必要とする場合に利用するようにすることが好ましい。
【００６９】
このために、本発明は各医師または各診療科別に管理者をして前記のようなイメージテンプレートを図５ｂに図示されたダイアログボックスを通じて管理できるようにした。即ち、医師または診療科別に管理者は医師用ウェブ画面のメインメニュー部１３０からイメージテンプレート管理メニューを選択することができ、この際、出力されるダイアログボックスが図５ｂに図示されている。
【００７０】
一方、医師または診療科別管理者は前記図３に対する説明で言及したように、ダイアログボックスを通じて医務記録書式を閲覧、登録、削除及び修正する方法を適用して、新たなイメージテンプレートを登録することができ、既存のイメージテンプレートを閲覧、削除及び修正することもできる。
【００７１】
また、ユーザは各診療科及び医務記録書式によって各イメージテンプレートを分類して格納させることができる。
図６ａは本発明に係るオンライン上における医務記録書式管理方法を具現した医師用ウェブ画面の一例示図であって、ユーザが外来初診メニュー上で登録された各種医務記録書式を閲覧した後、選択できる画面を表したものであり、図６ｂは本発明に係るオンライン上における医務記録書式管理方法を具現した医師用ウェブ画面の又他の一例示図であって、ユーザが外来初診メニュー上からイメージテンプレートを選択したり撮影イメージを登録したりすることができる画面を表したものである。
【００７２】
即ち、図６ａは前記で説明した方法によって登録されている各種医務記録書式をユーザが医師用ウェブ画面を通じて実質的に利用する状態を表したものであって、図面に図示されたように、ユーザが医師用ウェブ画面の患者情報入力部１５０の記録選択欄１５１から外来初診メニューを選択すれば、患者情報入力部１５０には前記図４に対する説明で詳述した方法により設定されている医務記録書式が基本的に出力される。
【００７３】
この際、患者の医療情報を入力しようとする医師は、前記医務記録書式を用いて各種医療情報を入力できるが、出力された医務記録書式が自身の希望する医務記録書式でない場合には、前記患者情報入力部１５０にある書式メニュー１５７を選択して表れる医務記録書式ダイアログボックス１５８を通じて、希望する医務記録書式を選択することができる。
【００７４】
即ち、前記医務記録書式ダイアログボックス１５８は、前記図３に対する説明で上述した方法により前記医務記録書式管理部１７に格納されている医務記録書式の目録であって、医師が前記目録のうち、いずれか一つを選択することになれば、選択された医務記録書式が前記患者情報入力部１５０に出力されて、医師は患者の医療情報を入力できることになる。
【００７５】
一方、図６ｂは、前記で説明された方法により登録されている各種イメージテンプレートまたは撮影イメージを、医師が医師用ウェブ画面を通じて実質的に利用する状態を表したものであって、図面に図示されたように、ユーザが医師用ウェブ画面の患者情報入力部１５０の記録選択欄１５１から外来初診メニューを選択すれば、患者情報入力部１５０には前記図４に対する説明で詳述した方法により設定されている医務記録書式が基本的に出力される。
【００７６】
この際、患者の医療情報を入力しようとする医師は、前記図６ａに対する説明で上述したように、希望する医務記録書式を選択できるだけでなく、医務記録書式を選択した後、希望するイメージテンプレートを患者情報と共に入力させることができる。
【００７７】
即ち、医師は外来初診と関連した患者の各種医療情報を入力する過程において、イメージテンプレートまたは患者の撮影イメージを入力しようとする場合には、患者情報入力部１５０にある絵追加メニュー１５４ｆ−３のうち、いずれか一つを選択することになり、この際、図６ｂに図示されたようなイメージダイアログボックス１５９が出力される。
【００７８】
この際、前記イメージダイアログボックス１５９に出力されるイメージテンプレートは、前記図５ａ及び図５ｂに対する説明で詳述したような方法によりサービス提供システムのイメージ管理部１４に格納されているものである。
【００７９】
一方、医師は前記イメージダイアログボックス１５９に出力されているイメージテンプレート目録から希望するイメージを選択して、患者のその他の医療情報と共にサービス提供システムに格納することになる。
【００８０】
しかしながら、前記したように、医師が入力できるイメージはイメージ管理部１４に格納されて管理されているイメージテンプレートに限るのではなく、医師は自身の医師用端末機２０または前記端末機とネットワークを介して接続されている他の端末機に格納されている撮影イメージを選択して入力させることができる。即ち、図６ｂに図示されたイメージダイアログボックス１５９には絵ファイルアップロードメニューがあり、前記メニューを用いて医師は端末機にある撮影イメージを前記患者情報入力部１５０を通じてサービス提供システムに格納させることができる。
【００８１】
即ち、本発明に係るオンライン上における医務記録書式管理方法は、各種医務記録書式をユーザの選択によって追加、削除及び修正できる方法を提供するだけでなく、各種イメージをもユーザの選択によって追加、削除及び修正できるようにする方法を提供している。
【００８２】
また、本発明は各医師または各診療科別に医師用ウェブ画面に基本的に出力される医務記録書式を選択または修正できるようにする方法を提供している。
また、本発明は上述した方法に限るのではなく、ユーザが医務記録書式またはイメージに対してユーザの趣向によって多様な形態で修正または追加できるようにする方法にも適用されることができる。
【００８３】
以上、本発明は、前記で記述された実施形態に限るのでなく、当業者により多様な変形及び変更をもたらすことができ、これは請求範囲で定義される本発明の趣旨と範囲に含まれる。
【産業上の利用可能性】
【００８４】
前記のような本発明は、病院内で医師、看護師、検査室職員が紙チャートを用いて患者に対する診療、看護、検査、治療情報を入力する不便を解消できるようにするためのものであって、ネットワークを介して接続したユーザ端末機を通じて入力された各種情報を格納しておいてから、ユーザが該当情報を要請する場合にネットワークを介して前記ユーザ端末機に提供することによって、より正確で、かつ、簡便に、医師、看護師、検査室職員が患者を診療、看護、検査、治療するようにすることができるという優れた効果が得られる。
【００８５】
また、本発明は、ネットワークを介してユーザの端末機に提供される各種医務記録書式及びイメージが、ユーザの選択によって追加、削除及び修正できる方法を提供することによって、ユーザがより便利で、かつ、速かに患者の医療情報を入力及び閲覧できるようにするという優れた効果が得られる。
【００８６】
また、本発明はユーザの端末機に出力される基本的な医務記録書式をユーザが直接選択または修正できるようにする方法を提供することによって、ユーザの業務効率を増大させることができるという優れる効果が得られる。
【図面の簡単な説明】
【００８７】
【図１】本発明が適用される医療情報提供システムの一実施形態の構成図である。
【図２ａ】本発明に係るオンライン上における医務記録書式管理方法が適用される医師用ウェブ画面の一例示図である。
【図２ｂ】本発明に係るオンライン上における医務記録書式管理方法が適用される医師用ウェブ画面の又他の一例示図である。
【図３】本発明に係るオンライン上における医務記録書式管理方法に適用される医務記録書式登録のためのウェブページダイアログボックスの一例示図である。
【図４】本発明に係るオンライン上における医務記録書式管理方法に適用される医務記録書式の基本値設定のためのウェブページダイアログボックスの一例示図である。
【図５ａ】本発明に係るオンライン上における医務記録書式管理方法に適用される医師用ウェブ画面の他の一例示図である。
【図５ｂ】本発明に係るオンライン上における医務記録書式管理方法に適用されるイメージ管理のためのウェブページダイアログボックスの一例示図である。
【図６ａ】本発明に係るオンライン上における医務記録書式管理方法を具現した医師用ウェブ画面の一例示図である。
【図６ｂ】本発明に係るオンライン上における医務記録書式管理方法を具現した医師用ウェブ画面の他の一例示図である。
【符号の説明】
【００８８】
１０    サービス提供システム
１１    インターフェース
１２    制御部
１３    患者情報管理部
１４    イメージ情報管理部
１５    一般院務管理部
１６    認証管理部
１７    医務記録書式管理部
２０    医師用端末機
３０    看護師用端末機
４０    検査室職員用端末機
５０    一般院務用端末機
６０    外部公認認証システム
１１０    ユーザ情報表示部
１２０    マイメニュー部
１３０    メインメニュー部
１４０    患者情報閲覧部
１５０    患者情報入力部
【図１】
2007531079.tif 000003
【図２ａ】
2007531079.tif 000004
【図２ｂ】
2007531079.tif 000005
【図３】
2007531079.tif 000006
【図４】
2007531079.tif 000007
【図５ａ】
2007531079.tif 000008
【図５ｂ】
2007531079.tif 000009
【図６ａ】
2007531079.tif 000010
【図６ｂ】
2007531079.tif 000011
【国際調査報告】
2007531079.tif 000012